(57)【要約】      （修正有）【課題】テープの切断端部に折り返し部を形成する事が失敗無く確実に形成出来るテープカッター。【解決手段】上端が引き出されたテープ１１に接触可能な位置に配置され、上端の巾方向の両端部に突起部２９Ａを有するとともに、上端部の上記テープ支持部側と逆の面に棒状部材が取り付けられた被粘着部２８と、被粘着部のテープ支持部側と逆の側に設けられた回動刃３７と、回動刃のテープ引き出し方向への回動量を規制するストッパー３９と、回動刃と被粘着部の間に設けられ、上端が引き出されたテープに接触可能な位置に配置された回動板３４と、回動刃を常時回動板側に付勢する付勢手段４０を備え、回動刃の上端は常時回動板に接触するとともに常時回動板の上端よりも引き出されたテープに対して遠い位置にあり、回動刃が付勢手段の付勢力に抗して、ストッパーに当接するまで回動したとき、回動刃の上端が回動板の上端よりもテープに近づくように構成した。【選択図】図１
2015074515.tif 000002
【特許請求の範囲】
【請求項１】
支持基台と、上記支持基台の一端部に設けられ、粘着テープを支持するテープ支持部と、上端が引き出されたテープに接触可能な位置に配置され、上端の巾方向の両端部に突起部を有するとともに、上端部の上記テープ支持部側と逆の面に棒状部材が取り付けられた被粘着部と、上記被粘着部のテープ支持部側と逆の側に設けられた回動刃と、上記回動刃のテープ引き出し方向への回動量を規制するストッパーと、上記回動刃と上記被粘着部の間に設けられ、上端が引き出されたテープに接触可能な位置に配置された回動板と、上記回動刃を常時上記回動板側に付勢する付勢手段を備え、上記回動刃の上端は常時上記回動板に接触するとともに常時上記回動板の上端よりも引き出されたテープに対して遠い位置にあり、上記回動刃が上記付勢手段の付勢力に抗して、上記ストッパーに当接するまで回動したとき、上記回動刃の上端が上記回動板の上端よりもテープに近づくように構成され、上記被粘着部、上記回動刃、上記回動板および上記ストッパーは前記支持基台の他端部に設けられていることを特徴とするテープカッター。
【請求項２】
上端が引き出されたテープに接触可能な位置に配置され、上端の巾方向の両端部に突起部を有するとともに、上端部のテー供給側と逆の面に棒状部材が取り付けられた被粘着部と、上記被粘着部のテープ供給側と逆の側に設けられた回動刃と、上記回動刃のテープ引き出し方向への回動量を規制するストッパーと、上記回動刃と上記被粘着部の間に設けられ、上端が引き出されたテープに接触可能な位置に配置された回動板と、上記回動刃を常時上記回動板側に付勢する付勢手段とを備え、上記回動刃の上端は常時上記回動板に接触するとともに常時上記回動板の上端よりも引き出されたテープに対して遠い位置にあり、上記回動刃が上記付勢手段の付勢力に抗して、上記ストッパーに当接するまで回動したとき、上記回動刃の上端が上記回動板の上端よりもテープに近づくように構成したテープカッター
【請求項３】
回動板の回動刃側の面に上下に伸びるレール状の突起部を設けた請求項１もしくは請求項２記載のテープカッター
【発明の詳細な説明】
【技術分野】
【０００１】
本発明は粘着テープを引き出し、切断した時に粘着テープの切断端部に折り返し部が確実に形成できるテープカッターに関するものである。          
【背景技術】
【０００２】
テープ端部に折り返し部を形成できるテープカッターとしては下記特許文献1が提案されている。すなわちテープの先端を折り曲げて粘着面同士を貼り付ける折り返し部を作る構成として、文献１の図１と図２に示すように、引き出された粘着テープを第二被粘着部３６に貼り付け、切断刃の位置まで引き出すが、切断刃の位置直前で粘着テープは第一被粘着部３２に貼り付き、切断動作により第二被粘着部先端部３６に粘着テープの端部が貼り付いた状態で、回動軸３４に設けられた付勢手段により第一被粘着部３２側に回動し、折り返し部が形成出来る構成となっている。      
【０００３】
しかしこの構成では粘着テープの張り付いた第二被粘着部が第一被粘着部側に回動する時この第一被粘着部に貼り付いたテープは上方に折れ曲がらねばならないのに、下方に折れ曲がる場合があり、折り返し部が形成出来ない場合がある。
【先行技術文献】
【特許文献】
【０００４】
【特許文献１】特願２００７−２６５７６９
【発明の概要】
【発明が解決しようとする課題】
【０００５】
本発明は上記のようなテープが下方に折れ曲がるのを防止し、確実に折り返し部の形成できるテープカッターを提供するものである
【課題を解決するための手段】
【０００６】
請求項１の発明では、支持基台と、上記支持基台の一端部に設けられ、粘着テープを支持するテープ支持部と、上端が引き出されたテープに接触可能な位置に配置され、上端の巾方向の両端部に突起部を有するとともに、上端部の上記テープ支持部と逆の面に棒状部材が取り付けられた被粘着部と、上記被粘着部のテープ支持部と逆の側に設けられた回動刃と、上記回動刃のテープ引き出し方向への回動量を規制するストッパーと、上記回動刃と上記被粘着部の間に設けられ、上端が引き出されたテープに接触可能な位置に配置された回動板と、上記回動刃を常時上記回動板側に付勢する付勢手段を備え、上記回動刃の上端は常時上記回動板に接触するとともに常時上記回動板の上端よりも引き出されたテープに対して遠い位置にあり、上記回動刃が上記付勢手段の付勢力に抗して、上記ストッパーに当接するまで回動したとき、上記回動刃の上端が上記回動板の上端よりもテープに近づくように構成した。
【０００７】
請求項２の発明では上端が引き出されたテープに接触可能な位置に配置され、上端の巾方向の両端部に突起部を有するとともに、上端部のテー供給側と逆の面に棒状部材が取り付けられた被粘着部と、上記被粘着部のテープ供給側と逆の側に設けられた回動刃と、上記回動刃のテープ引き出し方向への回動量を規制するストッパーと、上記回動刃と上記被粘着部の間に設けられ、上端が引き出されたテープに接触可能な位置に配置された回動板と、上記回動刃を常時上記回動板側に付勢する付勢手段とを備え、上記回動刃の上端は常時上記回動板に接触するとともに常時上記回動板の上端よりも引き出されたテープに対して遠い位置にあり、上記回動刃が上記付勢手段の付勢力に抗して、上記ストッパーに当接するまで回動したとき、上記回動刃の上端が上記回動板の上端よりもテープに近づくように構成した。
請求項３の発明では回動板の回動刃に対抗する側の面に上下に伸びるレール状の突起部を設けた。このような構成によれば回動板と回動刃は滑らかに接触しながら回動し、動作が滑らかになる。
【発明の効果】
【０００８】
本発明によれば、テープは下方へ折れにくく、上方に折れやすくなる状態となり、しかも、テープ切断後、回動板先端部に張り付いたテープは、被粘着部に確実に張り付きやすくなり、確実にリング状の折り返し部が出来る。
【図面の簡単な説明】
【０００９】
【図１】本発明のテープカッターの側面図
【図２】要部の動作を示す側面図
【図３】被粘着部の斜視図
【図４】回動板の斜視図
【図５】被粘着部の他の例を示す斜視図
【発明を実施するための形態】
【００１０】
本発明の実施形態を、図面を用いて説明する。
図１は全体の構成を示し図２は要部の動作を示す。本発明のテープカッターは重量のある支持基台２２の一端部に、着脱及び回転可能に保持される回転軸部材２３を設けている。回転軸部材２３は粘着テープ１１の環状の芯１１aが着脱自在に嵌められるように構成されている。
【００１１】
支持基台２２の他端部には回転軸部材２３の中心位置よりも若干高い位置まで伸びる起立部２４が設けられ、起立部２４には、粘着テープ１１の切断を行う回動刃３７の切断位置としてのストッパー３９が設けられ、このストッパー３９と粘着テープ１１の間が所望長さに切断される粘着テープを引き出す引き出し路となる。  
【００１２】
ストッパー３９よりも粘着テープ１１側には、図３に示すように、テープに接触する上端に二つの突起部２９Aと２９Ｂを備える板状部材２９に棒状部材３０が取り付けられた被粘着部２８が設けられている。固定部３２は板状部材29を支持する固定部である。被粘着部２８よりもストッパー３９側に回動板３４が回動軸３６により回動可能に支持され、この回動板３４とストッパー３９の間に回動刃３７が回動軸３８により回動可能に支持されるとともに、常時回動刃３７をテープ側に付勢するトーションバネ４０が備えられ、回動刃３７は回動板３４側に常時押し付け、回動刃３７と回動板３４は常時接触しながら被粘着部２８側に押し付けている。
図4は回動板の構造を詳細に示すもので、先端部３５はテープとの接触を容易にするためＬ型に折り曲げられ平坦に形成されているとともに、回動刃３７と対向する面にはレール状の突起部３４Ａが両端部に２か所設けられている。
【００１３】
被粘着部２８の棒状部材３０に回動板３４の先端部３５が接触している時は、回動刃３７の先端部の歯先は回動板３４の先端部３５より下に位置するように回動軸３８が設けられ、回動板３４の先端部３５が引き出された粘着テープに張り付きストッパー３９の位置まで引き出された時、回動刃３７の先端部がテープ切断に必要な分だけ、回動板３４の先端部３５より上に突出するように構成されている
【００１４】
この様に構成されたテープカッターは次のように使用される。
粘着テープの端部を引き出し、回動板３４の先端部３５に粘着テープを貼り付け、回動板３４と回動刃３７がストッパー３９に当接するまで引き出すと、その直前に被粘着部２８の上端部にテープが張り付く。引き出したテープを回動刃３７の先端部に押し付ける切断動作によりテープは切断される。図２は切断直前の状態を示すものである。
【００１５】
切断と同時にテープの端部が回動板３４の先端部３５に張り付き、回動刃３７はトーションバネ４０により、回動板３４のレール３４Aに当接しながら被粘着部２８側に回動し、回動板３４の先端部３５は被粘着部２８の棒状部３０に当接することにより、回動板３４の先端部に張りついていたテープの切断端部の粘着面が、切断の直前に形成されたテープの被粘着部２８上端との張り付き部の下面（粘着部）の粘着部に圧接され、テープの切断端部にループ状の折り返し部が形成出来る。
【００１６】
図５は被粘着部の他の構成例を示すもので、２９０は板状部材、３００は棒状部材、３２０は固定部であって、図３の構成と同様であるが、この例では、突起部２９Ａ,２９Bの代わりに線状部材２９０Ａ，２９０Ｂが板状部材２９０の上端に固定されている。
上記の構成では支持基台を用いて、粘着テープ支持部とテープカッターの構成部材が予め一体に構成されているが、両者が別々に構成され、粘着テープを用いて作業する場所で両者を組み合わせて使用するようにしても、同様の効果がある。
【産業上の利用可能性】
【００１７】
切断端部にループが形成される、粘着テープカッターに利用できる。
【符号の説明】
【００１８】
１１・・・  粘着テープ
１１Ａ・・・粘着テープの芯
１２・・・  折り返し部
２２・・・  支持基台
２３・・・  回転軸部材
２４・・・  起立部
２５・・・  引出し路
２８・・・  被粘着部
２８０・・・被粘着部
２９・・・  板状部材
２９Ａ・・・突起部
２９Ｂ・・・突起部
２９０・・・板状部材
２９０Ａ・・・線状部材
２９０Ｂ・・・線状部材
３０・・・  棒状部材
３００・・・棒状部材
３２・・・  固定部
３２０・・・固定部
３４・・・  回動板
３４Ａ・・・レール状の突起部
３５・・・  回動板の先端部
３６・・・  回動軸
３７・・・回動刃
３８・・・回動軸
３９・・・ストッパー
４０・・・トーションバネ
【図１】
2015074515.tif 000003
【図２】
2015074515.tif 000004
【図３】
2015074515.tif 000005
【図４】
2015074515.tif 000006
【図５】
2015074515.tif 000007